(57)【要約】【課題】  油と水を含む油水混合物から、油とその他のものとを分離することができる油水分離処理方法の提供であって、作業が簡単であり、できるだけ短時間で処理を終えることができ、低コスト化を実現でき、また、一度に大量の油水分離処理を行うことができる方法の提供。特に、エマルション中の油滴を効率よく分離できる方法の提供。【解決手段】  油水混合物から油を分離するための油水分離装置であって、（Ａ）前記油水混合物を注入するための注入部、（Ｂ）前記注入部より注入された油水混合物から、加圧状態下において、所定量の油を吸収することにより油を分離する油水分離剤を含む油水分離部、および、（Ｃ）前記油水分離部において所定量の油が分離された後の油水混合物を回収するための回収部を備えることを特徴とする装置を提供する。【選択図】図１
2014136215.tif 000002
【特許請求の範囲】
【請求項１】
油水混合物から油を分離するための油水分離装置であって、
前記装置は、 
（Ａ）前記油水混合物を注入するための注入部、
（Ｂ）前記注入部より注入された油水混合物から、加圧状態下において、所定量の油を吸収することにより油を分離する油水分離剤を含む油水分離部、および、
（Ｃ）前記油水分離部において所定量の油が分離された後の油水混合物を回収するための回収部を備える
ことを特徴とする装置。
【請求項２】
請求項１に記載の油水分離装置であって、
前記油水分離剤が、油を吸収するが、水を実質的に吸収しない粒子を含む
ことを特徴とする装置。
【請求項３】
請求項１または２に記載の油水分離装置であって、
前記油水混合物が油水から実質的になるエマルションを含む
ことを特徴とする装置。
【請求項４】
請求項１から３のいずれか一項に記載の油水分離装置であって、
前記加圧状態が、０．０８ＭＰＡ〜０．１２ＭＰＡの加圧状態である
ことを特徴とする装置。
【請求項５】
請求項１〜４のいずれか一項に記載の油水分離装置であって、
前記加圧状態が、前記油水分離剤を、非加圧状態と比べて３５％〜５０％の体積とする加圧状態である
ことを特徴とする装置。
【請求項６】
油水混合物から油を分離するための油水分離システムであって、
前記油水分離システムは、
請求項１に記載の油水分離装置、および、
一次処理装置
を備え、
前記一次処理装置は、前記油水分離装置による油水混合物からの油の分離をより効果的にするために、前記油水分離装置による油水混合物からの油の分離に先だって、油水混合物中のサイズの大きな油粒子を油水分離剤によって処理するための装置である
ことを特徴とする、油水分離システム。
【請求項７】
油水混合物から油を分離するための油水分離システムであって、
前記油水分離システムは、
請求項１に記載の油水分離装置、および、
スクリュープレス装置
を備え、
前記スクリュープレス装置は、前記油水分離装置において油水混合物からの油の分離に供された油水分離剤をプレスすることにより、油を回収し、また、当該油水分離剤を油の分離に再び利用できるものとするための装置である
ことを特徴とする、油水分離システム。
【請求項８】
請求項６に記載の油水分離システムであって、
前記油水分離システムは、さらに、スクリュープレス装置を備え、
前記スクリュープレス装置は、前記油水分離装置または前記一次処理装置おいて油水混合物からの油の分離に供された油水分離剤をプレスすることにより、油を回収し、また、当該油水分離剤を油の分離に再び利用できるものとするための装置である
ことを特徴とする、油水分離システム。
【発明の詳細な説明】
【技術分野】
【０００１】
本発明は、油水混合物から油を分離するための油水分離装置および該装置を含む油水混合物から油を分離するための油水分離システムに関する。さらに詳しくは、油水混合物から油を吸収することにより油を分離することが可能な油水分離剤を用いた油水分離装置および油水分離システムに関する。
【背景技術】
【０００２】
油と水は通常混じり合うことはないが、超音波やせん断力を受けると、水または油の一方が、微細な液滴となって、他方の水相または油相の中に分散し、乳化状（エマルション）をなす。このようなエマルション中の油は、水と分離させることが難しい。このことにより、油と水とのエマルションを含む油水混合物における油水分離処理は難しく、廃液の処理や油の再利用などで多くの問題が潜在的に存在する。
このような油と水とのエマルションを含む油水混合物から油と水とを分離する方法としては、気化温度の差、比重の差、微生物の利用、化学処理、電器の利用、界面の性質の違いを利用した吸着剤によるもの、などが知られている（例えば、特許文献１〜６）。しかしながら、このような方法による油の分離方法は、大規模な設備が必要であることや、処理能力が低く、処理に時間がかかるなどの問題がある。従って、環境に与える負荷も大きくなり、また、コストの面で企業等に負担を強いてきた。例えば、海洋や河川の汚染水における油水分離処理を行う場合、汚染水中に含まれる油と水とのエマルションを含む油水混合物を短時間で大量に処理する技術が無かったため、油以外の水等も油水混合物のまま持ち帰る事が必要であった。
【先行技術文献】
【特許文献】
【０００３】
【特許文献１】特開第２０１０−０６４０３３号公報
【特許文献２】特開第２００２−１８８１９８号公報
【特許文献３】特開第２００５−０５８９１２号公報
【特許文献４】特開第２００４−２６１７２５号公報
【特許文献５】特開第２００４−０９７９８８号公報
【特許文献６】特開平第０５−１３８１３５号公報
【発明の概要】
【発明が解決しようとする課題】
【０００４】
上記問題点に鑑み、本発明の課題は、次の第１〜第３の課題の少なくとも一つ、またはその全てを解決できる油水分離方法の提供である。
すなわち、第１の課題は、油と水を含むその他のものとを完全に分離することができる油水分離装置の提供。
また、第２の課題は、油水分離の作業が簡単であり、できるだけ短時間で処理を終えることができる油水分離装置の提供。また、作業の簡易化と短時間処理により低コスト化を実現できる油水分離装置の提供。
また、第３の課題は、海洋や河川の汚染水における油水分離等、一度に大量の油水混合物の油水分離処理を行うことができる油部分離装置の提供。
【課題を解決するための手段】
【０００５】
上記課題を解決するために、本発明者らは、鋭意検討の結果、油水混合物から油を吸収することより油を分離することが可能な油水分離剤を利用した油水分離装置において、油水分離剤を加圧状態下におくことにより、油水分離剤のエマルション中の油滴に対する吸収力を向上できることを見出した。
すなわち、本発明は、油水混合物から油を分離するための油水分離装置であって、
（Ａ）前記油水混合物を注入するための注入部、
（Ｂ）前記注入部より注入された油水混合物から、加圧状態下において、所定量の油を吸収することにより油を分離する油水分離剤を含む油水分離部、および、
（Ｃ）前記油水分離部において所定量の油が分離された後の油水混合物を回収するための回収部を備えることを特徴とする装置を提供する。
【０００６】
また、本発明の油水分離装置は、その一実施の形態において、
前記油水分離剤が、油を吸収するが、水を実質的に吸収しない粒子を含むことを特徴とする。
【０００７】
また、本発明の油水分離装置は、その一実施の形態において、
前記油水混合物が油水から実質的になるエマルションを含むことを特徴とする。
【０００８】
また、本発明の油水分離装置は、その一実施の形態において、
前記加圧状態が、０．０８ＭＰＡ〜０．１２ＭＰＡの加圧状態であることを特徴とする。
【０００９】
また、本発明の油水分離装置は、その一実施の形態において、
前記加圧状態が、前記油水分離剤を、非加圧状態の油水分離剤と比べて３５％〜５０％の体積とする加圧状態であることを特徴とする。
【００１０】
なお、以上述べた本発明の一又は複数の特徴を、任意に組み合わせたものも、本発明の油水分離装置であることはいうまでもない。
【００１１】
また、本発明の別の態様によれば、油水混合物から油を分離するための油水分離システムであって、前記油水分離システムは、上記の油水分離装置、および、一次処理装置を備え、
前記一次処理装置は、前記油水分離装置による油水混合物からの油の分離をより効果的にするために、前記油水分離装置による油水混合物からの油の分離に先だって、油水混合物中のサイズの大きな油粒子を油水分離剤によって処理するための装置であることを特徴とする、油水分離システムを提供する。
【００１２】
また、本発明の油水分離システムは、その一実施の形態において、
上記の油水分離装置および一次処理装置に加えて、さらに、スクリュープレス装置を備え、
前記スクリュープレス装置は、前記油水分離装置または前記一次処理装置において油水混合物からの油の分離に供された油水分離剤をプレスすることにより、油を回収し、また、当該油水分離剤を油の分離に再び利用できるものとするための装置であることを特徴とする。
【００１３】
また、本発明の別の態様によれば、油水混合物から油を分離するための油水分離システムであって、前記油水分離システムは、上記の油水分離装置、および、スクリュープレス装置を備え、
前記スクリュープレス装置は、前記油水分離装置において油水混合物からの油の分離に供された油水分離剤をプレスすることにより、油を回収し、また、当該油水分離剤を油の分離に再び利用できるものとするための装置であることを特徴とする。
【発明の効果】
【００１４】
本発明の発明によれば、油水混合物中より油を吸収することができる油水分離剤を加圧状態下において使用し、油水混合物より油の分離を行うため、油水混合物中のエマルションに含まれる油滴であっても効率的に分離することができる。
また、本発明によれば、加圧状態下にある油水分離剤に対して、油水混合物を通すだけの処理で済むため、複雑な施設や作業を必要とせず、低コストで油水分離作業を行うことができる。
さらに、本発明によれば、油水混合物中に含まれるエマルション化した油滴の分離を大量かつ短時間で処理することができる。したがって、油水混合物を含む海洋や河川の汚染水の処理等を、現地で行うことを可能とする。
【００１５】
なお、本発明の油水分離システムは、その一実施の態様において、一次処理装置を有する。一次処理装置は、例えば、エマルション化していない油（例えば、サイズの大きな油粒子）を予め一次処理装置において分離することができる。これにより、さらに効率よく油水分離装置においてエマルション化した油滴の分離を行うことができる。すなわち、大量の油水混合物をさらに短時間で処理することが可能となる。また、大量の油水混合物を短時間で処理することが可能であるため、環境への負荷を抑えることができる。
【００１６】
また、本発明の油水分離システムは、その一実施の態様において、油水分離剤に含まれる油を回収可能なスクリュープレス装置を備えている。スクリュープレス装置は、油水分離装置および／または一次処理装置において油水混合物より油を分離する処理に供した油水分離剤から油を回収することができる。これにより油水分離剤を何度も再利用することを可能とする。また、油水分離処理にかかるコストをさらに抑えることができる。
さらに、本発明の油水分離装置により回収された油は、化学反応を用いないことにより、油自体の再生利用にも有効である。
【図面の簡単な説明】
【００１７】
【図１】図１は、本発明の一実施の形態における、油水分離装置を側面から見た際の断面を模式的に示した図である。
【図２】図２は、本発明の一実施の形態における、一次処理装置の模式図を示す。図２Ａは一次処理装置の平面図を示し、図２Ｂは一次処理装置の正面図を示す。また、図２Ｃは、本発明に係る一次処理装置の一実施の形態において使用される、網かごの正面図を示す
【図３】図３は、本発明に係るスクリュープレスであって、一実施の形態における、スクリュープレス装置を側面から見た際の断面を模式的に示した図である。
【図４】図４は、本発明に係る油水分離システムの一実施の形態であって、一次処理装置と、２台の油水分離装置とを含む油水分離システムを模式的に示す図である。図４に示すシステムは、油水混合物を供給する油水混合物供給用タンクより一次処理装置へ油水混合物が注入される。一次処理装置で油水分離の処理が行われた油水混合物は、連結用タンク内へ回収され、ポンプにより油水分離装置へ注入される。また、このシステムは、油水分離装置を２台連結しているので、１台目の油水分離装置より回収された油水混合物は、２台目の油水分離装置において再び油水分離の処理が行われるようになっている。
【発明を実施するための最良の形態】
【００１８】
本発明に係る油水分離装置は、（Ａ）油水混合物を注入するための注入部と、（Ｂ）注入部より注入された油水混合物から油を分離するための油水分離部と、（Ｃ）油水分離部において油が分離された後の油水混合物を回収するための回収部とを備える。
【００１９】
ここで、図１に油水分離装置１０の一実施の形態を詳細に示す。
図１に示す油水分離装置１０は、油水混合物を注入する注入口１と、油水混合物が流入するタンク槽であって、フィルターにより分断されたタンク槽の上側であるタンク上槽と、フィルターにより分断されたタンク槽の下側の槽であって、油水分離剤２が充填されている油水分離部２と、油水分離剤により所定量の油が分離された油水混合物（または、好ましくは、水）を回収する回収部３とを有する。
【００２０】
本明細書において、「油水混合物」とは、油と水とが共存している混合物をいい、油以外の他の成分を含むものも、油水混合物に含まれる。油水混合物中に含まれる油と水とは、分離して共存している状態であってもよく、油と水とがエマルションを形成（油水エマルション）していてもよい。また、油水混合物には、油と水とが分離した状態をその一部に含んでもよいし、油と水とのエマルションをその一部に含んでもよい。
なお、油水混合物が油と水とのエマルションを含む場合、該エマルションは、油と水とから実質的になるエマルションであることが好ましい。ここで、「油と水とから実質的になるエマルション」とは、エマルション中に油および水に加え、他の成分が含まれていることを制限しないが、エマルション中に９５％以上、９６％以上、９７％以上、９８％以上、９９％以上、９９．９％以上で油と水とを含むことを言う。また、油水混合物に含まれる油と水とのエマルションは、水中油型（Ｏ／Ｗ）のエマルションであっても、油中水型（Ｏ／Ｗ）のエマルションであってもよい。また、エマルションを構成する油と水との割合も特に制限されない。
【００２１】
本発明に適用される「油水混合物」には、以下に限定されないが、例えば、油流出事故により汚染した海洋や河川由来の汚染水、工場からの廃液、レストランや食品工場等より排出される植物油や動物油等を挙げることができ、ありとあらゆる油と水とが共存している混合物が含まれる。
【００２２】
油水分離装置１０における注入部１は、油水混合物を注入可能な構造を有しており、油水混合物を油水分離装置内へ注入できる限りにおいて、その構造は限定されない。注入部１の油水分離装置１０における設置は、油水分離装置１０の内壁と離れた箇所に油水混合物が注入されるように設置されていればよく、例えば、注入部１は、油水分離装置１０の上部に設置することができる。この場合、特に、油水分離装置１０上部の中央に位置することが好ましい。これは、注入部１が油水分離装置１０の内壁に近い位置にあると、油水混合物が内壁を沿って伝わるため油水分離剤との接触が無い箇所が生じやすくなり、油の分離効率を落としてしまうためである。油水混合物が通る注入部１の内径等は、本発明に適用する油水混合物やその注入量に応じて適宜設計することができる。注入部１は、外部から油水混合物を油水分離装置内へ運ぶホースと接続可能であることが好ましく、例えば、ホースカップリングの構造を有する。
注入部１へ油水混合物を注入する手段は特に制限されないが、ポンプを利用して油水混合物を注入することが好ましい。なお、使用するポンプは、好ましい揚程能力や好ましい油水混合物の注入量を考慮し、当業者が適宜選択することができる。
【００２３】
注入部１より注入された油水混合物は、タンク上槽内へ流入する。
油水分離装置のタンク内の空間は、フィルターにより、タンク上槽と油水分離部２とに分けられている。タンク上槽内へ流入した油水混合物は、フィルターを通過し、油水分離剤が充填された油水分離部２へと流入する。
ここで、フィルター上には、油水混合物を油水分離部２内へ通過させるが、油水分離剤が通らない大きさの目開き（穴）が存在している。フィルター上の目開きの大きさは、使用する油水分離剤によって、適宜設定することができる。例えば、油水分離剤として、国際環境開発株式会社が提供する油水分離剤（ＡＺパウダー）を使用する場合には、目開きを０．２ｍｍ以下とすることが好ましい。
【００２４】
油水混合物は、油水分離剤が充填されている油水分離部２において、油水分離剤と接触する。これにより、油水混合物より油が油水分離剤へ吸収され、油が分離する。ここで、油水分離剤が充填されている油水分離部２内の空隙率が低いため、油水分離部２内は、流入した油水混合物により加圧状態となる。特に、油水分離剤として、国際環境開発株式会社が提供する油水分離剤（ＡＺパウダー）のような空隙率の低い油水分離剤を使用する場合には、油水分離剤自体の空隙率の低さも加わり、油水分離部２内は、加圧状態になりやすい。加圧状態下にある油水分離剤は、その圧力によって油水分離剤同士の密度が高くなり、油水分離剤が有する微細孔がさらに細かなものとなる。このようにして形成された加圧状態下における油水分離剤の微細孔は、特に水中油型のエマルション中の油滴を吸着する最適な状態となる。
ここで、加圧状態は、使用する油水分離剤により適宜設定することができるが、例えば、国際環境開発株式会社が提供する油水分離剤（ＡＺパウダー）を使用する場合には、０．０８ＭＰＡから０．１２ＭＰＡであることが好ましい。このような加圧状態を油水混合物の水圧により実現させる場合には、当業者は、油水分離装置の構造および大きさを考慮して好ましい揚程能力および注入量を有するポンプを適宜選択し達成することができる。
また、加圧状態は、油水分離剤が、非加圧状態の油水分離剤と比べて３５％〜５０％の体積となる加圧状態であることが好ましく、４０％〜４５％の体積となる加圧状態であることがより好ましい。
【００２５】
なお、上述するような、油水分離剤が油水混合物より油を分離する際に、油水分離剤が加圧状態となる空間を設計できる限りにおいて、タンク内の構造は限定されない。したがって、例えば、タンク上槽をなくすこともできるし（注入口の部分とフィルターを一体化する等）、または、油水分離部の下にフィルターを設置して、タンク下槽を形成させることもできる。
また、加圧状態は、油水混合物流入による水圧に限定されず、機械的圧力等、当業者に周知の方法で加圧させたものも本発明に含まれる。例えば、油水分離部２の構造における、ねじ等の締付けにより油水分離部２内へ圧力を加える方法、油水分離部２に重しを乗せて油水分離部２内へ圧力をかける方法、空圧を油水分離部２内へかける方法等により、油水分離剤に圧力を加えることも可能である。
【００２６】
本発明に使用できる油水分離剤としては、油を物理的に吸収可能な微細孔を有する粒子やパウダーであって、水を実質的に吸収しない粒子やパウダーを含むものであり、かつ、油水分離剤に対して圧力を加えることにより一度吸収した油を放出可能なものであれば、特に限定されない。このような油水分離剤としては、とりわけ、国際環境開発株式会社より入手可能な油水分離剤（ＡＺパウダー）を用いることが好ましい。
【００２７】
また、油水分離部２内の内壁は、パウダーよりも摩擦係数が低く、内壁とパウダーとの間が最も密度が低くなりやすい。このため、油水混合物は、この密度の低い箇所を通り、いわゆる水道を形成し、油水分離剤に触れない箇所が生じてしまう。このような現象を抑えるために、油水分離部２の内壁は、その表面積を減らすことが好ましく、例えば、内壁の形状は円形とすることが好ましい。
油水分離部２において、油水分離剤と接触した油水混合物は、油水分離剤によって所定量の油が吸収され、所定量の油が分離された油水混合物（好ましくは、油を実質的に含まない水性の混合物）を得ることができる。
このように、所定量の油が分離された油水混合物は、油水分離部内にある回収口３より回収される。
【００２８】
なお、回収口３は、油水混合物を油水分離部２内へ通過させるが、油水分離剤が通らない大きさの目開きを複数有しているため、所定量の油が分離された油水混合物のみが回収口３より回収される。なお、回収口３の目開きの大きさは、フィルターと同じとしてもよく、異なっていても良い。また、回収口３は、油水分離装置２の内壁より離した場所に油水分離部２内へ挿入された形状で設置することが好ましく、さらに目開きの部分は、油水分離部の底辺より離れた場所に空いていることが好ましい。これは、内壁を伝わり、油水分離剤とほとんど接触していない油水混合物が直接回収されないためである。
このようにして、本発明に係る油水分離装置１０は、油水混合物より所定量の油を分離させることができる。なお、油水混合物中に含まれる油の量が多い場合には、油水分離装置１０を複数台、連続して連結させ、繰り返し、油水混合物中の油を分離させることができる。複数台の油水分離装置を連結させて使用する際には、最初に使用する油水分離装置１０の回収口３と次に使用する油水分離装置１０の注入口１とを、ホース等で連結させてやればよい。
【００２９】
また、本発明によれば、油水混合物から油を分離するための油水分離システムであって、上記の油水分離装置１０と一次処理装置２０とを備えるシステムを提供する。
一次処理装置２０は、油水分離装置１０における油水混合物からの油の分離をより効果的にするために、油水分離装置１０による油水混合物からの油の分離に先だって、油水混合物中のサイズの大きな油粒子を一次処理油水分離剤によって処理するための装置である。
ここで、図２は、一次処理装置２０の一実施の形態を詳細に示す。
図２に示す一次処理装置２０は、上部が開放された一次処理タンク内に、油水分離剤を含む一次処理油水分離部２１と、一次処理油水分離部２１を一次処理タンクに固定するための固定具と、油水分離剤により油が分離された油水混合物を回収する一次処理回収口とを備える。
【００３０】
一次処理タンク２０は、上部が開放されているため、一度に大量の油水混合物を、一次処理タンク内に設置された一次処理油水分離部２１へ注入することができる。
一次処理油水分離部２１は、その構造の中に一次処理油水分離剤を含み、一次処理油水分離部２１に注入された油水混合物中の油を分離できる構造になっている。また、一次処理油水分離部２１は、油水分離剤を通さないが、油水分離剤により油が分離された油水混合物を通す構造を有している。このような一次処理油水分離部は、以下に限定されないが、例えば、網かご等の形状を有している。網かごの大きさは、下記に示すスクリュープレス内へ一度に投入できる量の油水分離剤を含む大きさとすることが好ましい。また、一人の作業員が、持ち運べる大きさとすることが好ましい。網かごの大きさを上記のようにすることで、作業の効率を高めることができ、好ましい。例えば、適切な大きさの網かごを複数個、同時に一次処理タンク内に設置して、油水分離部２１とすることもできる。
一次処理油水分離部２１は、固定具により一次処理タンクに固定される。油水混合物は、直接、一次処理油水分離部２１内へ注入できる。そして、一次処理油水分離部２１内へ注入された油水混合物は、一次処理油水分離剤と接触し、油が分離される。このとき、一次処理装置としては、油水混合物中に含まれるサイズの大きな油粒子を主に分離することを目的として使用することができる。なお、サイズの大きな油粒子の油が取り除かれることにより、油水分離装置におけるエマルション中の油滴の分離効率が大幅に向上するため、好ましい。なお、本明細書において、「サイズの大きな油粒子」とは、油水混合物に含まれる油であって、水に対して乳化（エマルション化）していない油をいう。したがって、本明細書において、「サイズの大きな油粒子」には、例えば、油水混合物中に含まれる油中水型エマルションを形成している油相や、油水混合物中に含まれる水と分離して存在する油等も含まれる。なお、一次処理装置において、分離される油は、サイズの大きな油粒子に制限されず、エマルション中の油滴を分離するものであってもよい。
【００３１】
一次処理油水分離剤としては、上述する油水分離装置で用いられる油水分離剤と同様のものを用いてもよいし、異なるものを用いても良い。とりわけ、国際環境開発株式会社が提供する油水分離剤（ＡＺパウダー）を使用することが好ましい。
一次処理油水分離部２１において油が分離され、一次処理タンク内へ流出した油水混合物は、一次処理回収口より回収される。
なお、一次処理回収口は、油水分離装置の注入口１とホース等により連結させることができる。または、連結用タンク４２等の一次的に一次処理装置より回収した油水混合物を溜めておくタンクへ油水混合物を回収し、そこからポンプ４３を使用して油水分離装置１０の注入口１へ油水混合物を注入することもできる。
【００３２】
また、本発明によれば、油水混合物から油を分離するための油水分離システムであって、
上述する油水分離装置に加え、スクリュープレス装置３０を備えるシステムを提供する。
スクリュープレス装置３０は、油水分離装置１０において油水混合物からの油の分離に供された油水分離剤をプレスすることにより、油を回収し、また、当該油水分離剤を油の分離に再び利用できるものとするための装置である。
【００３３】
スクリュープレス装置３０において、油を吸収している油水分離剤に対するプレスは、２０％程度の液体を油水分離剤内に残す程度にプレスすることが好ましい。このようにプレスすることで、油水分離剤自体の構造を破壊しないため、再利用できる回数を増やすことができる。また、スクリュープレスの構造は、上記のようなプレスを可能にするものであれば、特に制限されない。
そして、上記のような圧力で油水分離剤をプレスし、油を回収することで、油水分離剤を少なくとも２０回程度再利用することが可能となる。これにより、油水分離処理に必要なコストをさらに抑える事が可能となる。
なお、スクリュープレス装置により再利用可能な状態とされる油水分離剤は、一次処理装置２０において使用した一次処理油水分離剤であってもよい。
また、以下の態様に限定されないが、油水分離剤の効率的な再利用の観点からは、油水分離装置で使用した油水分離剤を一次処理装置において使用し、一次処理装置において使用した油水分離剤をスクリュープレスにより再度使用可能な状態へ戻し、再度、油水分離装置で使用するように、循環させる態様が好ましい。
【００３４】
本発明に係る油水分離装置および／または一次処理装置を用いて油水混合物より油を分離させた場合、油水混合物中の油は、対象となる油の排出基準以下とすることができ、より好ましくは、回収される油水混合物は、油を実質的に含まないか、あるいは、油を全く含まない。
油水混合物中の油の濃度は、当業者に周知の方法により測定することができ、例えば、ノルマルヘキサン抽出物質の測定により行うことができる。
【００３５】
異なる定義が無い限り、ここに用いられるすべての用語（技術用語及び科学用語を含む。）は、本発明が属する技術の当業者によって広く理解されるのと同じ意味を有する。ここに用いられる用語は、異なる定義が明示されていない限り、本明細書及び関連技術分野における意味と整合的な意味を有するものとして解釈されるべきであり、理想化され、又は、過度に形式的な意味において解釈されるべきではない。
【００３６】
本発明の実施態様は模式図を参照しつつ説明される場合があるが、模式図である場合、説明を明確にするために、誇張されて表現されている場合がある。
【００３７】
本明細書において、例えば、「１〜１０％」と表現されている場合、当業者は、当該表現が、１、２、３、４、５、６、７、８、９、または１０％を個別具体的に指すことを理解する。
【００３８】
本明細書において、数値範囲等を示すのに用いられるあらゆる数値は、特に明示がない限り、用語「約」の意味を包含するものとして解釈される。例えば、「１０倍」とは、特に明示がない限り、「約１０倍」を意味するものと理解される。
【００３９】
本明細書中に引用される文献は、それらのすべての開示が、本明細書中に援用されているとみなされるべきであって、当業者は、本明細書の文脈に従って、本発明の精神及び範囲を逸脱することなく、それらの先行技術文献における関連する開示内容を、本明細書の一部として援用して理解する。
【００４０】
以下において、本発明を、実施例を参照してより詳細に説明する。しかしながら、本発明はいろいろな態様により具現化することができ、ここに記載される実施例に限定されるものとして解釈されてはならない。
【実施例】
【００４１】
以下、図面を用いて実施例を詳細に説明する。
（実施例１．油水分離装置による油水混合物からの油の分離）
図１は本実施例に用いた油水分離装置の構造を側面から見た際の断面を模式的に示す図である。
まず、油水分離剤として国際環境開発社製の油水分離剤（ＡＺパウダー）を用いた。油水分離剤を油水分離部内に充填させ、油水分離装置１０を準備した。なお、油水分離装置１０内部の上側には、フィルター（メッシュ張り、目開き０．１ｍｍ）を設置した。また、油水分離装置は、全体容量が３０Ｌのものを用いた。対象とする油水混合物として、Ａ重油由来の油水混合物を用いた。
なお、油水混合物中の油分をノルマルヘキサン抽出物質により測定したところ、１８．４ｐｐｍであった。なお、これより以下に記載する重油の濃度測定も、同様にして行った。
具体的には、下記のとおり、Ａ重油由来の油水混合物より油を分離した。
注入口１より、Ａ重油由来の油水混合物を連続注入した。
このとき、油水混合物は、２インチ水中ポンプを用いて、０．１ＭＰＡの水圧で、注入口１へ注入させた。
フィルターを通過した油水混合物は、油水分離剤が充填された油水分離部２の中に均一に流入した。
油水分離剤が充填される油水分離部２内へ流入した油水混合物は、油水分離剤と接触することで、油水混合物中の油が油水分離剤中へ吸収された。これにより、所定量の油が分離した油水混合物のみが回収口３より回収された。
回収口３より回収された油水混合物中のＡ重油の濃度は、２．９ｐｐｍであった。
また、油水混合物を連続注入することにより、所定量の油が分離された油水混合物を１時間で３６００Ｌ回収することができた。
【００４２】
（実施例１−２．油水分離装置を２台使用した油水混合物からの油の分離）
ここで、実施例１で使用した油水分離装置の回収口３に対してホースを連結し、該ホースを新たな油水分離装置の注入口１へと連結させることにより、２台の油水分離装置を連結させた。
上記のようにして作製した２台の油水分離装置を用いた以外は、実施例１と同様にして、Ａ重油を含む油水混合物から油を分離する処理を行った。なお、２台目の油水分離装置の構造は、実施例１で使用した油水分離装置と同じである。
実施例１において回収された油水混合物中の重油の濃度は、２．９ｐｐｍであったのに対し、２台目の油水分離装置の回収口より回収された油水混合物中の重油の濃度は、０．８ｐｐｍであった。
【００４３】
（実施例２．一次処理装置を用いた油水混合物からの油の分離）
油水混合物に大きな油粒子が含まれる場合には、一次処理装置２０を用いて、油と水とのおおまかな分離を予め行うことが好ましい。
図２は、本実施例で用いた網かご式一次処理装置２０（すなわち、一次処理油水分離部として網かごを用いた一次処理装置）の模式図（平面図、正面図、および右側面図）および網かご式一次処理装置２０に用いた網かご２１の正面図を示す。
一次処理油水分離部２１である網かご（大きさ：３０ｃｍ×３０ｃｍ×８０ｃｍ）内に、油水分離剤を１ｋｇ充填させた。なお、油水分離剤として、国際環境開発社製の油水分離剤（ＡＺパウダー）を用いた。
油水分離剤を充填した網かごを８つ、網かご式一次処理装置２０の本体であるタンク（容量１０００Ｌ）の内部に設置した。網かごの設置には、アルミ枠の固定具を用いた。このようにして、網かご式一次処理装置２０を準備した。また、対象とする油水混合物として、Ａ重油由来の油水混合物を用いた。なお、油水混合物中に含まれるＡ重油の濃度は、３２．３ｐｐｍであった。
Ａ重油由来の油水混合物を、水中ポンプを用いて、網かご内へ連続注入した。
油水分離剤が充填される網かご内へ流入した油水混合物は、油水分離剤と接触することで、油水混合物中の油が油水分離剤中へ吸収された。これにより、所定量の油が分離した油水混合物のみが網かごより排出され、最終的に、網かご式一次処理装置２０の一次処理回収口より回収された。
一次処理回収口より回収された油水分鉱物中のＡ重油の濃度は、１８．４ｐｐｍであった。
また、油水混合物を網かご式一次処理装置２０に連続注入することにより、所定量の油が分離した油水混合物を、油水混合物の流入量に等しい、毎分２００Ｌの量で回収することができた。
なお、網かご式一次処理装置２０の一次回収口より回収された油水混合物（エマルションを含む）は、そのまま実施例１の油水混合物と同様にして油水分離装置内へ注入させることができる。
【００４４】
（実施例３．スクリュープレス装置による油水分離剤からの油性成分の分離）
実施例２で用いた油水分離剤を回収し、スクリュープレス装置によりプレスすることで、油水分離剤を再利用できる状態へ戻した。
より具体的には、図３に示すスクリュープレスを用い、スクリュープレスの投与口へ油を吸着した油水分離剤を１０Ｌ、６ｋｇ投与した。
投与口より投与された油水分離剤は、スクリューにより、ドラム内へ押し出される。このとき、スクリューによる圧力により、油水分離剤中より油が放出される。また、このとき油水分離剤には、油水分離剤が有する弾性や復元力をなくさない程度の強すぎない圧力をかけた。これにより、油水分離剤に過度の損傷を与えないようにした。
油性成分を放出した油水分離剤は、油水分離剤用の排出口より、３ｋｇ回収できた。油水分離剤用の排出口より回収された油水分離剤は、わずかな油しか含んでおらず、再利用できる状態にあった。
また、ドラム内で油水分離剤より放出された油は、ドラム内の下部に設置された油回収用の回収口より回収できた。回収した油の量は、２Ｌであった。
【符号の説明】
【００４５】
１    注入口
２    油水分離部
３    回収口
１０  油水分離装置
２０  一次処理装置
２１  一次処理油水分離部
３０  スクリュープレス装置
４１  油水混合物供給用タンク
４２  連結用タンク
４３  ポンプ
【図１】
2014136215.tif 000003
【図２】
2014136215.tif 000004
【図３】
2014136215.tif 000005
【図４】
2014136215.tif 000006